(57)【要約】【課題】図柄表示手段を構成する表示体の全体形状を変形可能にすることにより、ほぼ任意の形状で図柄表示を可能にすると共に、遊技盤面における配置の自由度を高めることである。【解決手段】抽選実施条件が成立すると抽選を行う抽選手段と、前記抽選手段による抽選結果を図柄の変動表示によって表示する図柄表示装置Ｄ２  とを備えた遊技機において、前記図柄表示装置Ｄ２  の表示体２１は、屈曲配置可能なコイルバネで構成されて、前記表示体２１の表面周方向に図柄を表示する複数の図柄表示エリアＡが設けられ、前記表示体２１を屈曲状態で軸心Ｃを中心に回転させることにより複数の図柄表示エリアＡに表示された各図柄Ｅを変動表示可能な構成とする。【選択図】        図１
2004229851.tif 000002
【特許請求の範囲】
【請求項１】
抽選実施条件が成立すると抽選を行う抽選手段と、前記抽選手段による抽選結果を図柄の変動表示によって表示する図柄表示手段とを備えた遊技機において、
前記図柄表示手段の表示体は柔軟性部材で構成されて、前記表示体の表面周方向に図柄を表示する複数の図柄表示エリアが設けられ、前記表示体を屈曲状態で軸心を中心に回転させることにより複数の図柄表示エリアに表示された各図柄を変動表示可能にしたことを特徴とする遊技機。
【発明の詳細な説明】
【０００１】
【発明の属する技術分野】
本発明は、抽選手段による抽選結果を図柄の変動表示によって表示する図柄表示手段とを備えた遊技遊に関するものである。
【０００２】
【従来の技術】
従来、抽選結果を図柄で表示する図柄表示装置としては、ドラム、円盤等の全体形状が定まった表示体を回転させたり、その回転途中で停止させたり、或いは周回経路が固定されたベルトを表示体として、これを周回走行させて、その途中で停止させることにより、それらの表面に描画された複数の図柄を変動表示させる構成のものであった（例えば、特許文献１）。
【０００３】
【特許文献１】
特開平６−１３４１１２号公報
【０００４】
このように、従来の図柄表示装置は、その表示体の全体形状が一定していて、遊技盤面における設置可能部位が定められるため、その設置の自由度が乏しかった。
【０００５】
【発明が解決しようとする課題】
本発明の課題は、図柄表示手段を構成する表示体の全体形状を変形可能にすることにより、ほぼ任意の形状で図柄表示を可能にすると共に、遊技盤面における配置の自由度を高めることである
【０００６】
【課題を解決するための手段】
上記課題を解決するための第１解決手段（請求項１の発明）は、抽選実施条件が成立すると抽選を行う抽選手段と、前記抽選手段による抽選結果を図柄の変動表示によって表示する図柄表示手段とを備えた遊技機において、前記図柄表示手段の表示体は、屈曲配置可能な柔軟性部材で構成されて、前記表示体の表面周方向に図柄を表示する複数の図柄表示エリアが設けられ、前記表示体を屈曲状態で軸心を中心に回転させることにより複数の図柄表示エリアに表示された各図柄を変動表示可能にしたことを特徴としている。
【０００７】
第１解決手段によれば、図柄表示手段の表示体が屈曲配置可能な柔軟性部材で構成されているため、表示体を任意の屈曲状態のままで、その軸心を中心にして回転可能となって、表示体は、ほぼ任意の形状で図柄表示が可能となると共に、遊技盤面における配置の自由度も高めることができる。
【０００８】
また、第２解決手段は、第１解決手段において、前記表示体は、表面周方向に設けられた複数が一組となった図柄表示エリアが長手方向に沿って複数組設けられて、周方向及び長手方向の双方に設けられた複数の図柄表示エリアのうち特定の図柄表示エリアのみを有効として指定する図柄指定手段を備えていることを特徴としている。
【０００９】
第２解決手段によれば、図柄を表示する表示エリアは、表示体の周方向と長手方向の双方に設けられているために、表示体の回転と長手方向における異なる位置との双方で図柄の変動表示ができる。この結果、図柄の変動表示態様が多様化される。
【００１０】
また、第３解決手段は、第１又は第２の解決手段において、前記表示体はコイルバネ状部材であることを特徴としている。
【００１１】
第３解決手段によれば、表示体がコイルバネ状部材であって、最も屈曲性の高い部材で構成されているため、遊技盤面における配置の自由度が一層高まる。
【００１２】
また、第４解決手段は、第１ないし第３のいずれかの解決手段において、前記表示体は光透過性材料で構成されていることを特徴としている。
【００１３】
第４解決手段によれば、表示体が光透過性材料で構成されているために、その図柄表示エリアを発光する発光体との組み合わせによって、装飾効果が高められる。
【００１４】
【発明の実施の形態】
以下、実施形態を挙げて本発明を更に詳細に説明する。図１は、本発明に係る図柄表示装置Ｄ２  が組み込まれたパチンコ機の遊技面の正面図であり、図２は、図１の図柄表示装置Ｄ２  の部分の拡大図であり、図３は、図柄表示装置Ｄ２  の斜視図であり、図４は、図柄表示装置Ｄ２  を構成する螺旋状の表示体２１の非変形時の正面図であり、図５は、同じく拡大横断面図であり、図６は、図２のＸ−Ｘ線拡大断面図である。図１において、遊技盤１には、外側及び内側の各球案内レール２，３が取付けられ、各球案内レール２，３で囲まれる領域が遊技領域４となっている。外側及び内側の各球案内レール２，３が内外で重なって球発射通路５を形成しており、球発射装置（図示せず）から発射された遊技球は、前記球発射通路５を通って前記遊技領域４に放出される。
【００１５】
また、遊技領域４の略中央部には、センタ役物装置Ｂが配置されている。センタ役物装置Ｂは、特別図柄表示装置Ｄ１  と、この特別図柄表示装置Ｄ１  の両側方及び上方を外周から囲むように半円弧状（アーチ状）に配置された本発明に係る図柄表示装置Ｄ２  とで構成される。特別図柄表示装置Ｄ１  は、外周に多数の図柄が連続して表示された３個のリール体６，７，８が横方向に並んで配置された構成であって、遊技面から奥側に引っ込んで配置され、図柄表示装置Ｄ２  は、遊技面から前側（遊技者の側）に突出して配置され、その詳細については後述する。特別図柄表示装置Ｄ１  の下方には、遊技球が横方向及び前後方向の双方に転動可能な棚板装置９が遊技面に臨んで配置されており、この棚板装置９の左右方向の中央部の直下には、前記特別図柄表示装置Ｄ１  を作動させるための始動入賞口１１が配置されている。また、始動入賞口１１の直下には、大入賞口装置１２が配置されており、始動入賞口１１の左右両側には、それぞれ２個ずつのサイド入賞口１３が配置されている。なお、図１において、１４は、サイド入賞口１３の部分に配置された円弧状の装飾部材であり、１５は、いずれの入賞口にも入賞しなかった球を回収するアウト口を示す。
【００１６】
次に、図３ないし図６を参照にして、本発明に係る図柄表示装置Ｄ２  について説明する。この図柄表示装置Ｄ２  は、前記特別図柄表示装置Ｄ１  の図柄表示と連動表示させるものであって、ほぼ任意形状にわん曲可能なコイルバネから成る螺旋状の表示体２１と、この表示体２１の一端部に連結されて、わん曲形状の前記表示体２１をそのままの形状で軸心を中心にして回転させるための駆動モータ２２と、前記表示体２１の内部に配設されて、該表示体２１の外周面の周方向に形成された３つの図柄表示エリアＡに表示された各図柄Ｅを発光表示させる発光装置２４とを備えている。表示体２１を構成するコイルバネは、光透過性を有する透明樹脂で成形されて、ほぼ任意の形状に変形可能であって、実施形態では、前記特別図柄表示装置Ｄ１  の上方及び両側方に半円弧状（アーチ状）に屈曲した状態で配置される。また、表示体２１は、横断面が略方形状をしていて、全体形状が略円弧状をしていて、透明樹脂で形成された透明ケース体２５内に挿入配置されることにより、その全体形状が透明ケース体２５の形状に倣ってわん曲される。表示体２１は、そのままの状態では、その軸心Ｃを中心に回転させると、その全体形状が僅かに変形されるが、上記のように表示体２１の全体形状と同一の透明ケース体２５内に配置すると、表示体２１は、その軸心Ｃを中心に回転させても、透明ケース体２５の内周面に案内されることにより、全体形状を維持したままで回転可能となる。なお、透明ケース体２５は、遊技盤１の盤面に配置した状態で前側（遊技者側）に配置される各コーナー部がわん曲された断面略コの字形のケース体本体２５ａと、該ケース体本体２５ａの背面側の開口を覆う蓋体２５ｂとで構成される。
【００１７】
また、図２及び図５に示されるように、表示体２１の外周面には、その周方向に沿って複数個（実施形態では３個）が一組となった図柄表示エリアＡが形成されていると共に、その長手方向に沿って所定間隔をおいて複数組（実施形態では５組）の前記各図柄表示エリアＡが形成されている。これにより、表示体２１の外周面には、（一組の図柄表示エリアＡの個数×組数）だけの図柄表示エリアＡが形成されていて、各図柄表示エリアＡには、特別図柄表示装置Ｄ１  を構成する各リール体６，７，８の表面に表示された図柄Ｅ（実施形態では「数字」）と同一種類の図柄Ｅがそれぞれ表示されている。
【００１８】
また、半円弧状をした透明ケース体２５に表示体２１が挿入配置された状態において、前記表示体２１の一端部には、有底リング状をした連結補助体２６が接着等により一体に固着され、この連結補助体２６の底板部２６ａの中心に設けられた回転軸部２６ｂと、前記表示体２１の端部と対向配置された駆動モータ２２の駆動軸２２ａとが連結体２７を介して連結されている。これにより、遊技中において、特別図柄表示装置Ｄ１  の作動の開始と同時に駆動モータ２２を起動させると、透明ケース体２５内の表示体２１は、コイルバネで構成されているために、その全体形状が透明ケース体２５により維持された状態で、その軸心Ｃを中心にして、全体形状を維持し、しかも捩じられることなく連続回転する。このため、表示体２１は、その一端の駆動側と他端の従動側において、周方向の位相がずれることなく回転する。
【００１９】
また、図２及び図６に示されるように、透明ケース体２５内の表示体２１の内部には、半リング板状の基板２８が垂直となって配置され、該基板２８の前面における表示体２１の各図柄表示エリアＡが形成されている部分には、それぞれＬＥＤ等から成る発光体２９が取付けられて、該発光体２９の前面の表示体２１の図柄表示エリアＡの部分を発光する構成となっている。このように、発光体２９の数は、表示体２１の長手方向に沿って形成された図柄表示エリアＡの数（実施形態では５個）と等しくなっていて、しかも図柄表示装置Ｄ２  の作動中においては、複数の発光体２９のうち特定された一つのみが発光させることにより、表示体２１の長手方向に沿って形成された多数の図柄表示エリアＡのうち特定された一つの図柄表示エリアＡのみを発光して、遊技者は、特定の一つの図柄のみを視認可能な構成となっている。換言すれば、複数の発光体２９は、その特定された一個のみが発光する構成とすることにより、表示体２１の長手方向に沿って形成された複数の図柄表示エリアＡのうち、特定の一つの図柄表示エリアＡのみを有効として指定する図柄指定機能を有している。
【００２０】
次に、図８のフローチャートを参照して、上記したパチンコ機の遊技方法を、本発明に係る図柄表示装置Ｄ２  を主体にして説明する。球発射通路５を通って遊技領域４に放出された遊技球は、遊技盤１に形成された多数の遊技釘に衝突したり、これに案内されると共に、半円弧状の透明ケース体２５のケース体本体２５ａの上面に案内されることにより、遊技球は下方に向けて流れる。そして、遊技球が棚板装置９に乗り上がってその転動面を転動して、この転動面から遊技領域４に落下して始動入賞口１１に入賞したり、或いは棚板装置９に乗り上がることなく、遊技領域４を流れる途中において横方向から始動入賞口１１に入賞すると、抽選装置による抽選が実行されて、その抽選結果を図柄表示すべく、特別図柄表示装置Ｄ１  及び図柄表示装置Ｄ２  の双方が作動を開始して、特別図柄表示装置Ｄ１  の各リール体６，７，８がそれぞれ回転すると共に、図柄表示装置Ｄ２  の表示体２１は、全体形状が半円弧状のままで、その軸心Ｃを中心にして回転する。
【００２１】
ここで、図柄表示装置Ｄ２  に関しては、その長手方向に沿って図柄表示エリアＡが複数存在しているため、長手方向に沿った特定の一つの図柄表示エリアＡに対応する発光体２９が連続発光して、この特定の図柄表示エリアＡが連続して有効となるように設定してもよいし、或いは発光装置２４を構成する複数の発光体２９が規則的に点滅することにより、有効となる図柄表示エリアＡが表示体２１の長手方向に沿って連続して変化するように設定することも可能である。また、特別図柄表示装置Ｄ１  に関しては、各リール体６，７，８が停止して、抽選装置の抽選結果を表示する際に、特定の一つのリール体に関しては、その背面に配置された発光体（図示せず）が一時的に消灯する等して、その特定のリール体の外周面の図柄Ｅは、一時的に遊技者に視認されない構成にしてある。
【００２２】
そして、特別図柄表示装置Ｄ１  及び図柄表示装置Ｄ２  は、いずれもその作動を開始してから所定時間だけ変動表示した後に停止して、その停止時において、例えば図７に示されるように、特別図柄表示装置Ｄ１  の３つのリール体６，７，８のうち特定の一つリール体（実施形態では中央のリール体７）の外周面の図柄のみが一時的に視認不能となって、特別図柄表示装置Ｄ１  の３つのリール体６，７，８のうち２つのリール体６，８の外周面に横並びとなった２つの図柄と、図柄表示装置Ｄ２  の有効となっている図柄表示エリアＡの図柄との計３つの図柄で構成される「合成図柄」が「特定の表示態様」である「大当り図柄（実施形態では、「７，７，７」）」となった場合には、遊技者に特定の権利が発生して、「大当り遊技」が開始される。なお、上記した計３つの図柄の組み合せが「特定の表示態様」でない場合には、「外れ」であって、遊技者に対して上記権利は発生しない。また、有効となっている図柄表示エリアＡは、透明樹脂製のコイルバネからなる表示体２１の内部に配置された発光体２９からの光が透過して明瞭に表示されると共に、発光されて有効となっている図柄表示エリアＡの部分は装飾効果も有している。
【００２３】
そして、特別図柄表示装置Ｄ１  の３つのリール体６，７，８のうち特定の２つのリール体に表示された２つの図柄と、図柄表示装置Ｄ２  の図柄表示エリアＡに表示された図柄との計３つの図柄で構成される「合成図柄」が「特定の表示態様」になった後において、特別図柄表示装置Ｄ１  の３つのリール体６，７，８のうち一時的に図柄を表示していなかったリール体（実施形態ではリール体７）に、停止した図柄表示装置Ｄ２  の図柄表示エリアＡに表示された図柄（実施形態では数字「７」）と同一図柄が、特別図柄表示装置Ｄ１  のリール体７に表示されて、停止した特別図柄表示装置Ｄ１  での図柄表示が「特定の表示態様」となる。このように、図柄表示装置Ｄ２  による図柄表示は、本来は特別図柄表示装置Ｄ１  で表示される特定の図柄を一時的に別の表示部位に表示することにより、遊技者に対して図柄表示の特殊性を訴えて、遊技の趣興を高めようとするものである。
【００２４】
なお、「大当り遊技」においては、前記大入賞口装置１２の蓋体１２ａが手前側に倒れて開いた大入賞口（図示せず）が所定時間（例えば、３０秒）、或いは所定個数（例えば、１０個）の入賞があるまで、前記大入賞口は開放された状態を維持する。そして、前記蓋体１２ａの起立により大入賞口が閉じた後においても、該大入賞口を通って受け止められた球（入賞球）が内部の特別入賞口（図示せず）を通過すると、再度、蓋体１２ａが手前側に倒れることにより、前記大入賞口が再度開放されて、最高１６回（ラウンド）だけ前記「大当り遊技」が繰り返される。
【００２５】
また、上記実施形態では、特別図柄表示装置Ｄ１  を構成する３つのリール体６，７，８と、図柄表示装置Ｄ２  の表示体２１の長手方向に形成された５個の図柄表示エリアＡのうち、特別図柄表示装置Ｄ１  の両側の２つのリール体６，８と、図柄表示装置Ｄ２  の中央の図柄表示エリアＡの図柄との計３つで一時的な図柄表示を行ったが、この組み合わせは任意であって、多数の組み合わせが考えられる。例えば、特別図柄表示装置Ｄ１  の左側の隣接した２個のリール体６，７と、図柄表示装置Ｄ２  の右端の図柄表示エリアＡとに表示された３つの図柄で表示することも可能である。
【００２６】
また、特別図柄表示装置Ｄ１  及び図柄表示装置Ｄ２  の別の動作形態としては、通常は図柄表示装置Ｄ２  の発光体２９を消灯させて、図柄表示エリアＡの図柄を見えづらくしておいて、特別図柄表示装置Ｄ１  の３つのリール体６，７，８のうち特定の２つのリール体の図柄の組み合わせが「リーチ状態」になった時点で、残りの１つのリール体の図柄を見えづらい状態にし、その直後に、図柄表示装置Ｄ２  を作動させて、前記「合成図柄」を表示することも可能である。
【００２７】
また、特別図柄表示装置Ｄ２  としては、上記した複数のリール体で構成されたものに限られず、ＬＣＤ、ドットマトリクスＬＥＤ等の画像表示装置を用いることも可能である。この画像表示装置を用いた場合には、「リーチ状態」の後に、画像表示装置に表示する列数を減少させて、その替わりに図柄表示装置Ｄ１  の側で表示させることになる。
【００２８】
また、上記実施形態では、図柄表示装置Ｄ２  の表示体２１を透明樹脂製のコイルバネで構成してあるために、表示体２１の全体をほぼ任意の形状に屈曲させた状態で、その軸心Ｃを中心にして回転可能となるために、構造が単純であって、しかも遊技盤１の配置部の制約を受けることが比較的少ない状態で配置可能となる利点がある。しかし、本発明における図柄表示装置の表示体は、柔軟性部材で構成されて、屈曲状態で自身の軸心を中心にして回転可能であれば、上記コイルバネに限定されない。例えば、表示体を複数の表示体単体で構成して、各表示体単体を自在継手（フレキシブルジョイント）で連結しても、表示体の全体を屈曲させた状態で、その長手方向に沿った軸心を中心にして回転可能となる。
【００２９】
また、上記実施形態では、図柄表示装置Ｄ２  の表示体２１においては、周方向に形成された複数の図柄表示エリアＡに、特別図柄表示装置Ｄ１  に表示された図柄と同一種類の図柄を全て表示してあるが、前記複数の図柄表示エリアＡには、図柄を表示しない「空白図柄」を設けることも可能である。なお、停止状態における２種類の図柄表示装置Ｄ１，Ｄ２  から選択された複数の図柄の組み合わせの中に「空白図柄」が含まれる場合には、当然に「外れ」となる。
【００３０】
更に、表示体の長手方向に沿って複数の図柄表示エリアを形成する場合には、複数の図柄表示エリアから図柄表示の対象となる特定の一つの図柄表示エリアを指定する必要があるが、前記実施形態では、この図柄指定手段として、螺旋状の表示体２１内に配置されて、内部から表示体２１の図柄表示エリアＡの部分を発光させる発光体２９で構成してあり、発光体２９の独自の配置スペースが不要となって、省スペース化できる利点がある。しかし、他の図柄指定手段としては、例えば、前記した螺旋状の表示体２１の外側における長手方向に沿った各図柄表示エリアの近傍にそれぞれ発光体を配置して、特定の発光体によって図柄表示エリアを発光させる構成にすることも可能である。
【００３１】
【発明の効果】
本発明に係る図柄表示装置を構成する表示体は、屈曲配置可能な柔軟性部材で構成されて、前記表示体の表面周方向に図柄を表示する複数の図柄表示エリアが設けられ、前記表示体を屈曲状態で軸方向に回転させることにより複数の図柄表示エリアに表示された各図柄を変動表示可能としてあるので、表示体を任意の屈曲状態のままで、その軸心を中心にして回転可能となって、表示体は、ほぼ任意の形状で図柄表示が可能となると共に、遊技盤面における配置の自由度も高められる。
【図面の簡単な説明】
【図１】本発明に係る図柄表示装置Ｄ２  が組み込まれたパチンコ機の遊技面の正面図である。
【図２】図１の図柄表示装置Ｄ２  の部分の拡大図である。
【図３】図柄表示装置Ｄ２  の斜視図である。
【図４】図柄表示装置Ｄ２  を構成する螺旋状の表示体２１の非変形時の正面図である。
【図５】同じく拡大横断面図である。
【図６】図２のＸ−Ｘ線拡大断面図である。
【図７】二種類の各図柄表示装置Ｄ１，Ｄ２  からそれぞれ選択された各図柄の表示態様が特定の表示態様となった状態のパチンコ機の遊技面の正面図である。
【図８】本発明に係るパチンコ機の遊技内容を示すフローチャートである。
【符号の説明】
Ａ：図柄表示エリア
Ｃ：表示体の軸心
Ｄ２  ：図柄表示装置
Ｅ：図柄
２１：螺旋状の表示体
２９：発光体（図柄指定手段）
【図１】
2004229851.tif 000003
【図２】
2004229851.tif 000004
【図３】
2004229851.tif 000005
【図４】
2004229851.tif 000006
【図５】
2004229851.tif 000007
【図６】
2004229851.tif 000008
【図７】
2004229851.tif 000009
【図８】
2004229851.tif 000010